(57)【要約】【課題】ユーザが複数のソースから取得したコンテンツデータのコピーを行う際の利便性を向上させるようにした記録装置及び記録方法を提供する。【解決手段】複製可能回数が制限された同一のコンテンツデータを複数記録するＨＤＤ部１１６と、ＨＤＤ部１１６のコンテンツデータを複製するディスクドライブ部１２６と、ＨＤＤ部１１６のコンテンツデータの複製可能回数を管理するコピー回数管理部１２０と、ＨＤＤ部１１６のコンテンツデータの一覧表示画面を作成するＧＵＩ処理部１１１とを備え、ＧＵＩ処理部１１１は、ＨＤＤ部１１６に同一のコンテンツデータが複数記録されている場合、当該コンテンツデータを１つのアイコンに示し、当該コンテンツデータの複製可能回数を、コンテンツデータ其々の複製可能回数を合計した数として示す。これにより、ユーザが複製可能回数を容易に把握でき、利便性が向上する。【選択図】図１
2009260559.tif 000002
【特許請求の範囲】
【請求項１】
複製可能回数が制限された同一内容のコンテンツデータを複数記録可能な記録手段と、
前記記録手段が記録するコンテンツデータを複製する複製手段と、
前記記録手段が記録するコンテンツデータの複製可能回数を管理し、前記複製手段による複製に伴って該コンテンツデータの複製可能回数を減算する管理手段と、
前記記録手段に記録されたコンテンツデータを其々アイコンとして示す一覧表示画面を作成する表示画面作成手段と
を備え、
前記表示画面作成手段は、前記記録手段に同一内容のコンテンツデータが複数記録されている場合には、当該複数のコンテンツデータを１つのアイコンとして示すと共に、当該１つのアイコンにより示されるコンテンツデータの複製可能回数を、前記複数のコンテンツデータ其々の複製可能回数を合計した数として示す一覧表示画面を作成すること
を特徴とする記録装置。
【請求項２】
前記表示画面作成手段は、前記記録手段に同時刻に同じチャンネルで記録されたコンテンツデータが複数記録されている場合に、当該複数のコンテンツデータを１つのアイコンとして示し、当該１つのアイコンにより示されるコンテンツデータの複製可能回数を、複数のコンテンツデータ其々の複製可能回数を合計した数として示す一覧表示画面を作成すること
を特徴とする請求項１に記載の記録装置。
【請求項３】
前記記録手段に記録するコンテンツデータを記録する時刻を指定する記録指定手段をさらに備え、
前記記録指定手段は、記録指定時に、当該記録するコンテンツデータと同一内容の他のコンテンツデータとを前記一覧表示画面上で１つのアイコンとして示すか否かを指定可能であること
を特徴とする請求項１又は２に記載の記録装置。
【請求項４】
前記表示画面作成手段に対して、前記記録手段に同一内容のコンテンツデータが複数記録されている場合には、
当該複数のコンテンツデータを１つのアイコンとして示し、当該１つのアイコンにより示されるコンテンツデータの複製可能回数を、複数のコンテンツデータ其々の複製可能回数を合計した数として示す一覧表示画面を作成するか、
当該複数のコンテンツデータを其々複数のアイコンとして示し、其々のアイコンにより示されるコンテンツデータの複製可能回数を、複数のコンテンツデータ其々の複製可能回数として示す一覧表示画面を作成するか、
を指定することが可能な設定手段をさらに備えること
を特徴とする請求項１〜３のいずれか１項に記載の記録装置。
【請求項５】
複製可能回数が制限されたコンテンツデータを記録することが可能な他の装置とネットワークを介して情報の受信を行うネットワーク受信手段と、
前記ネットワーク受信手段が受信した情報から、前記他の装置が記録したコンテンツデータの種別と複製可能回数とを示すメタデータを取得するメタデータ取得手段と
をさらに備え、
前記表示画面作成手段は、前記記録手段に記録されたコンテンツデータと、前記メタデータ取得手段が取得したメタデータが示すコンテンツデータとが同一である場合には、当該コンテンツデータを１つのアイコンとして示し、当該１つのアイコンにより示されるコンテンツデータの複製可能回数を、当該コンテンツデータ其々の複製可能回数を合計した数として示す一覧表示画面を作成すること
を特徴とする請求項１〜４のいずれか1項に記載の記録装置。
【請求項６】
前記複製手段は、前記記録手段に同一のコンテンツデータが二つ記録されている場合には、一方のコンテンツデータの複製可能回数を維持したまま、他方のコンテンツデータを複製可能回数が０となるまで複製すること
を特徴とする請求項１〜５のいずれか１項に記載の記録装置。
【請求項７】
前記複製手段は、前記記録手段に同一のコンテンツデータが複数記録されている場合には、前記複数のコンテンツデータ其々を順次複製すること
を特徴とする請求項１〜５のいずれか１項に記載の記録装置。
【請求項８】
記録手段が、複製可能回数が制限された同一内容のコンテンツデータを複数記録し、
複製手段が、前記記録手段が記録するコンテンツデータを複製し、
管理手段が、前記記録手段が記録するコンテンツデータの複製可能回数を管理し、前記複製手段による複製に伴って該コンテンツデータの複製可能回数を減算し、
表示画面作成手段が、前記記録手段に記録されたコンテンツデータを其々アイコンとして示す一覧表示画面を作成し、
前記表示画面作成手段は、前記記録手段に同一内容のコンテンツデータが複数記録されている場合には、当該複数のコンテンツデータを１つのアイコンとして示し、当該１つのアイコンにより示されるコンテンツデータの複製可能回数を、複数のコンテンツデータ其々の複製可能回数を合計した数として示す一覧表示画面を作成すること
を特徴とする記録方法。
【請求項９】
前記表示画面作成手段は、前記記録手段に同時刻に同じチャンネルで記録されたコンテンツデータが複数記録されている場合には、当該複数のコンテンツデータを１つのアイコンとして示し、当該１つのアイコンにより示されるコンテンツデータの複製可能回数を、複数のコンテンツデータ其々の複製可能回数を合計した数として示す一覧表示画面を作成すること
を特徴とする請求項８に記載の記録方法。
【請求項１０】
記録指定手段が、前記記録手段に、記録するコンテンツデータと当該コンテンツデータを記録する時刻とを指定し、
この記録指定時に、当該記録するコンテンツデータと同一内容の他のコンテンツデータとを前記一覧表示画面上で１つのアイコンとして示すか否かを指定可能であること
を特徴とする請求項８又は９に記載の記録方法。
【請求項１１】
設定手段が、前記表示画面作成手段に対して、前記記録手段に同一内容のコンテンツデータが複数記録されている場合には、
当該複数のコンテンツデータを１つのアイコンとして示し、当該１つのアイコンにより示されるコンテンツデータの複製可能回数を、複数のコンテンツデータ其々の複製可能回数を合計した数として示す一覧表示画面を作成するか、
当該複数のコンテンツデータを其々複数のアイコンとして示し、其々のアイコンにより示されるコンテンツデータの複製可能回数を、複数のコンテンツデータ其々の複製可能回数として示す一覧表示画面を作成するか、
を指定すること
を特徴とする請求項８〜１０のいずれか１項に記載の記録方法。
【請求項１２】
ネットワーク送受信手段が、複製可能回数が制限されたコンテンツデータを記録することが可能な他の装置とネットワークを介して情報の送受信を行い、
メタデータ取得手段が、前記ネットワーク送受信手段が受信した情報から、前記他の装置が記録したコンテンツデータの種別と複製可能回数とを示すメタデータを取得し、
前記表示画面作成手段は、前記記録手段に記録されたコンテンツデータと、前記メタデータ取得手段が取得したメタデータが示すコンテンツデータとが同一である場合には、当該コンテンツデータを１つのアイコンとして示し、当該１つのアイコンにより示されるコンテンツデータの複製可能回数を、当該コンテンツデータ其々の複製可能回数を合計した数として示す一覧表示画面を作成すること
を特徴とする請求項８〜１１のいずれか1項に記載の記録方法。
【発明の詳細な説明】
【技術分野】
【０００１】
本発明は、記録装置及び記録方法に関し、特に、記録されたコンテンツデータを其々アイコンとして示す一覧表示画面を作成する記録装置及び記録方法に関するものである。
【背景技術】
【０００２】
近年、テレビジョン放送のデジタル化が推進されている。例えば、日本国内においては、ＢＳ（Ｂｒｏａｄｃａｓｔｉｎｇ  Ｓａｔｅｌｌｉｔｅ）デジタル放送及び１１０度ＣＳ（Ｃｏｍｍｕｎｉｃａｔｉｏｎ  Ｓａｔｅｌｌｉｔｅ）デジタル放送等の衛星デジタル放送だけでなく、地上デジタル放送も開始されている。
【０００３】
このようなデジタル放送にあっては、著作権保護の観点から、放送されるコンテンツに対して、デジタルコピーを全く許可しないコピー禁止の形態、又は、１世代限りのデジタルコピーを許可する、いわゆるコピーワンスと称される形態のコピー制限を施すことが広く行われている。
【０００４】
このため、デジタル放送を受信するデジタル放送受信機能を持つ記録装置においては、コピーワンスの制限が施された番組を受信し、これにより得られるコンテンツデータを所定の記録メディアに記録した場合、その記録メディアに記録されたコンテンツデータを、他の記録メディアにデジタルコピーすることは不可能となっている。
【０００５】
尚、コピーワンスの制限が施されたコンテンツデータは、所定の記録メディアに記録された後、コピーではなくムーブ（移動）によって他の記録メディアに移すことができる。即ち、記録元となる記録メディアに記録されたコンテンツデータは、記録先となる記録メディアに書き込まれた後、記録元の記録メディアからは再生不可能となるように処理される。
【０００６】
一方、特許文献１には、情報記録媒体であって、少なくとも二つの記録領域を備え、第一の記録領域には、第一のコンテンツ情報と第一の管理情報と第一の著作権関連情報とが記録されており、第二の記録領域には、第二のコンテンツと第二の著作権関連情報を含む第二の管理情報とが記録されている情報記録媒体が開示されている。第一のコンテンツ情報と第二のコンテンツ情報とは同じコンテンツであるが、その属性が異なっている。第二の管理情報は、第一のコンテンツ情報と第二のコンテンツ情報についての関連を示すリンク情報と著作権準拠フラグとを含み、この著作権準拠フラグは互いにリンク付けされている第二の著作権関連情報が示す著作権による制限と、第一の著作権関連情報が示す著作権による制限とが同じ内容であるか否かを示す情報である。これにより、特許文献１の情報記録媒体は、再生装置の種類によらず、同じコンテンツを示すデータのコピー回数は同じになるような制御を可能にする。
【特許文献１】国際公開第２００５／０８３７０３号パンフレット
【発明の開示】
【発明が解決しようとする課題】
【０００７】
ところで、現在、例えばＨＤＤ（Ｈａｒｄ  Ｄｉｓｋ  Ｄｒｉｖｅ）等の記録媒体を内蔵するタイプのデジタル放送受信装置については、受信して記録媒体に記録したコンテンツに対し、その記録媒体から他の記録媒体に其々１世代に限って複数回のデジタルコピーを可能とする方針が提案され、現在検討されている。
【０００８】
このようなデジタル放送受信装置においては、複数のチューナを備え、それぞれのチューナから受信したコンテンツデータを内蔵の記録装置に記録し、その記録された其々のコンテンツデータから１世代限りで複数回のデジタルコピーをそれぞれ行うことが可能なタイプの装置も存在する。しかしながら、このようなタイプのデジタル放送受信装置においては、それぞれのチューナから受信したコンテンツデータが同じものである場合と異なるものである場合とがあるため、ユーザが複数のチューナから受信したコンテンツデータのコピー（複製）を行う際に必要とする複製可能回数を容易に把握できるようにすることが重要である。
【０００９】
そこで本発明は上記事情を考慮してなされたもので、ユーザが複数のソースから取得したコンテンツデータのコピーを行う際の利便性を向上させるようにした記録装置及び記録方法を提供することを目的とする。
【課題を解決するための手段】
【００１０】
本発明は、複製可能回数が制限された同一内容のコンテンツデータを複数記録可能な記録手段と、記録手段が記録するコンテンツデータを複製する複製手段と、記録手段が記録するコンテンツデータの複製可能回数を管理し、複製手段による複製に伴って該コンテンツデータの複製可能回数を減算する管理手段と、記録手段に記録されたコンテンツデータを其々アイコンとして示す一覧表示画面を作成する表示画面作成手段とを備え、表示画面作成手段は、記録手段に同一内容のコンテンツデータが複数記録されている場合には、当該複数のコンテンツデータを１つのアイコンとして示すと共に、当該１つのアイコンにより示されるコンテンツデータの複製可能回数を、複数のコンテンツデータ其々の複製可能回数を合計した数として示す一覧表示画面を作成することを特徴とする記録装置である。
【００１１】
また、本発明は、記録手段が、複製可能回数が制限された同一内容のコンテンツデータを複数記録し、複製手段が、記録手段が記録するコンテンツデータを複製し、管理手段が、記録手段が記録するコンテンツデータの複製可能回数を管理し、複製手段による複製に伴って該コンテンツデータの複製可能回数を減算し、表示画面作成手段が、記録手段に記録されたコンテンツデータを其々アイコンとして示す一覧表示画面を作成し、表示画面作成手段は、記録手段に同一内容のコンテンツデータが複数記録されている場合には、当該複数のコンテンツデータを１つのアイコンとして示し、当該１つのアイコンにより示されるコンテンツデータの複製可能回数を、複数のコンテンツデータ其々の複製可能回数を合計した数として示す一覧表示画面を作成することを特徴とする記録方法である。
【発明の効果】
【００１２】
本発明の記録装置及び記録方法によれば、ユーザが複数のソースから取得したコンテンツデータのコピーを行う際の利便性を向上させることが可能となる。
【発明を実施するための最良の形態】
【００１３】
以下、本発明の記録装置について、図面を参照しながら説明する。図１は、この第１実施形態で説明するテレビジョン放送受信装置１００の概略を示している。
【００１４】
アンテナ１０２ａで受信したデジタル放送信号は図示しない入力端子を介してデジタルチューナ部１０４ａに供給され、このデジタルチューナ部１０４ａで所望のチャネルの放送信号が選局される。
【００１５】
このデジタルチューナ部１０４ａで選局された放送信号は、暗号解読部１０６ａに供給されてデスクランブル処理が施された後、復号部１０８に供給されて復号化処理が行われる。復号部１０８から出力されたデジタル信号は、グラフィック処理部１１０に供給され、ＧＵＩ（Ｇｒａｐｈｉｃａｌ  Ｕｓｅｒ  Ｉｎｔｅｒｆａｃｅ）処理部１１１から出力される、コンテンツデータの一覧表示画面等のＧＵＩを示すＯＳＤ（Ｏｎ  Ｓｃｒｅｅｎ  Ｄｉｓｐｌａｙ）信号がこのデジタル信号と重畳された後、表示部１１２での映像表示に供される。尚、復号部１０８で復号され出力されるデジタル信号は映像信号だけでなく音声信号も含み、図示しないスピーカでの音声再生にも供される。
【００１６】
また、上記暗号解読部１０６ａで復号化処理（デスクランブル処理）が施されたコンテンツデータは、暗号化部１１４ａによりローカル暗号化処理が施された後、デジタルテレビジョン放送受信装置１００に内蔵されたＨＤＤ１１６部に供給されて記録される。この場合、ＨＤＤ部１１６に記録することを指示されたコンテンツデータに対しては、コピー可能回数抽出部１１８により、該コンテンツデータに設定されたコピー可能回数（例えば、１度記録後複製を作成することができないコピーワンスか、１世代に限り９個複製ができるダビング１０か、無制限に複製可能なコピーフリーか等）が抽出され、このコピー可能回数情報は、各コンテンツデータと対応付けられてコピー回数管理部１２０で管理される。
【００１７】
ＨＤＤ部１１６に記録されたコンテンツデータを他の１つの記録メディアにコピーすることが要求された場合、コピー回数管理部１２０は、自身が管理する該コンテンツデータのコピー可能回数から１減算し、減算後のコピー可能回数をコピー可能回数情報として格納する。
【００１８】
また、アンテナ１０２ｂ、デジタルチューナ部１０４ｂ、暗号解読部１０６ｂ、暗号化部１１４ｂ及びコピー可能回数抽出部１１８ｂも、上記のアンテナ１０２ａ、デジタルチューナ部１０４ａ、暗号解読部１０６ａ、暗号化部１１４ａ及びコピー可能回数抽出部１１８ａと同様の機能を有する。
【００１９】
ＨＤＤ部１１６に記録されたコンテンツデータは、他の記録メディアにコピー（複製）される場合、制御部１５０による制御に従って、ＨＤＤ部１１６で読み出され、暗号解読部１２２によりローカル暗号が解かれた後、暗号化部１２４によりコピー先の記録メディアに対応した暗号化処理が施された後、記録メディアＤに記録される。
【００２０】
この実施の形態では、他の記録メディアとして、デジタルテレビジョン放送受信装置１００に対して着脱自在となる、例えばＤＶＤ（Ｄｉｇｉｔａｌ  Ｖｅｒｓａｔｉｌｅ  Ｄｉｓｋ）等である光ディスクＤと、デジタルテレビジョン放送受信装置１００に外部接続される、例えばＨＤＤ等を内蔵する記録再生装置とを想定している。
【００２１】
暗号化部１２４は、入力されたコンテンツデータに対して、例えば、コピー先の記録メディアとしてＤＶＤが指定される場合には、ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）に準拠した暗号化処理を施すように機能し、コピー先の記録メディアとして他の種類の光ディスクが指定される場合には、例えばＡＡＣＳ（Ａｄｖａｎｃｅｄ  Ａｃｃｅｓｓ  Ｃｏｎｔｒｏｌ  Ｓｙｓｔｅｍ）に準拠した暗号化処理を施すように機能する。また、コンテンツデータがＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４規格に準拠した形態で外部の記録再生装置に伝送される場合、暗号化部１２４は、入力されたコンテンツデータに対して、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）に準拠した暗号化処理を施すように機能し、Ｅｔｈｅｒｎｅｔ（登録商標）などのＩＰ（Ｉｎｔｅｒｎｅｔ  Ｐｒｏｔｏｃｏｌ）経由で外部の記録再生装置に伝送される場合には、ＤＴＣＰ−ＩＰに準拠した暗号化処理を施すように機能する。
【００２２】
そして、暗号化部１２４で暗号化されたコンテンツデータは、ディスクドライブ部１２６に供給されることにより、そこに装着された光ディスクＤに記録される。また、暗号化部１２４で暗号化されたコンテンツデータは、デジタルＩ／Ｆ（Ｉｎｔｅｒｆａｃｅ）部１２８により、例えばＩＥＥＥ１３９４等のデジタル信号伝送規格に準拠したフォーマットに変換された後、外部の記録再生装置に供給され記録される。
【００２３】
コピー回数管理部１２０が管理するコピー可能回数情報について、図２を参照しながら簡単に説明する。
【００２４】
本実施例のコピー回数管理部１２０は、コピー可能回数情報として、ＨＤＤ部１１６に格納されるコンテンツデータのリスト、及びコピー可能回数だけでなく、コンテンツデータに係る番組が放送された放送時間、チャネル等の種々情報も合わせて記憶するようにしている。
【００２５】
コピー回数管理部１２０が管理する各々のコンテンツデータのコピー可能回数は、表示部１１２により其々アイコンとして示す一覧表示画面中に表示される。例えばリモートコントローラ等から構成される入力部１６０は、ユーザによる操作により、コンテンツデータ其々のコピー可能回数に応じたコンテンツデータのコピー可能回数の表示方法を設定する。
【００２６】
コピー回数管理部１２０で管理されるコピー可能回数は、図１の例ではＨＤＤ部１１６とは別の構成として記載されているが、ＨＤＤ部１１６の内部に記憶するようにしてもよい。しかしながら、ユーザによる改ざんを防止し、著作権保護を十分に図るため、暗号化してコピー可能回数情報を管理することが望ましい。
【００２７】
上記のような構成とされたデジタルテレビジョン放送受信装置１００において、以下、その主要な処理動作について説明する。図３は、コンテンツ一覧画面を生成する処理の手順をまとめたフロー図であり、図２に示すように、コピー回数管理部１２０が管理する各々のコンテンツデータのコピー可能回数が管理されているものとする。
【００２８】
ユーザが、入力部１６０を構成するリモートコントローラ等の操作によりコンテンツ一覧の表示要求を行うと（Ｓ３０１）、ＧＵＩ処理部１１１は、図４に例を示すようなコンテンツ一覧画面３００を作成し、グラフィック処理部１１０へ出力する。尚、ここで、ＧＵＩ処理部１１１は、コピー回数管理部１２０からコピー可能回数情報を取得し、この情報を元に、各コンテンツデータに対応するアイコンを作成してコンテンツ一覧画面３００上に配置する。以下、図２及び４を参照しながらコンテンツ一覧表示画面３００について説明する。
【００２９】
図２での、インデックス０のコンテンツのタイトルとコピー可能回数とは、図４の左上のアイコン３１の下に、タイトル「ＡＡＡ」とコピー可能回数「７回」が表示されている。図２におけるインデックス１、４、５、６のコンテンツのタイトルとコピー可能回数も同様に、アイコン３２、３４、３５、３６の下に表示されている。
【００３０】
図２に示すように、インデックス２、３のコンテンツは、同じチャンネルの番組を同じ時刻から録画を開始し、同じ時刻に終了したものである。そのため、ＧＵＩ処理部１１１は、インデックス２、３のコンテンツを同一内容のコンテンツとみなす（Ｓ３０２）。この場合、当該コンテンツの録画予約時か、あるいはコンテンツ一覧の表示要求時に、ユーザが入力部１６０を構成するリモートコントローラ等の操作により、インデックス２、３のコンテンツのコピー可能回数を合計表示することを設定しているときは（Ｓ３０３、Ｓ３０４）、図４に示すように、インデックス２、３のコンテンツについて、右上のアイコン３３の下に、タイトル「ＣＣＣ」が一つのみ表示される。その際、インデックス２、３のコンテンツのコピー可能回数は、インデックス２での５回と、インデックス３での９回を合計した、「１４回」として表示される（Ｓ３０６）。
【００３１】
なお、当該コンテンツの録画時か、あるいはコンテンツ一覧の表示要求時に、ユーザが入力部１６０に対し、インデックス２、３のコンテンツのコピー可能回数を個別に表示することを指定したときは（Ｓ３０３、Ｓ３０４）、インデックス２、３のコンテンツのタイトルとコピー可能回数とは、個別に表示される（Ｓ３０５）。
【００３２】
本実施形態によれば、ダビング１０が運用された際に、チューナを複数個搭載した機器において、複数個のチューナで同じ番組を録画した場合、ダビング規定の１０個を越えて、コンテンツのコピーができるようにユーザには見えるようになる。これにより、ユーザが複数のチューナから受信したコンテンツデータのコピーを行う際に必要とする複製可能回数を容易に把握できるようになり、ユーザの利便性が向上する。
【００３３】
なお、例えば、タイトルＣＣＣのコンテンツについて６回のコピーを実行した場合、インデックス２のコンテンツデータのコピー可能回数が０となるまで、インデックス２のコンテンツデータからコピーを実行するようにし、コピー可能回数が０となったインデックス２のエントリは削除するようにしても良い。ここで、例えば、６回のコピーはインデックス２に関して、５回のコピーとオリジナル１個を移動したことによる。これにより、複数個のチューナで同じ番組を録画した場合のＨＤＤ部１１６の記憶容量を削減することが可能となる。
【００３４】
一方、タイトルＣＣＣのコンテンツについて、順次、インデックス２，３のコンテンツデータからコピーを実行するようにしても良い。この場合、同じタイトルＣＣＣのコンテンツについて、インデックス２，３の両方のコンテンツデータがＨＤＤ部１１６に長い期間にわたって残存することになり、ユーザがコンテンツデータを処理する際の柔軟性を高めることが可能となる。
【００３５】
以下、本実施形態の第２実施形態について説明する。図５は、第２実施形態に係るデジタルテレビジョン放送受信装置の概略を示すブロック図である。図５に示すように、本実施形態のデジタルテレビジョン放送受信装置２００は、ネットワーク送受信部１４１とメタデータ取得部１４２とを備える。
【００３６】
ネットワーク送受信部１４１は、ネットワークを介して他のデジタルテレビジョン放送受信装置２００から情報を送受信する。メタデータ取得部１４２は、ネットワーク送受信部１４１が受信した情報より、他のデジタルテレビジョン放送受信装置２００に録画されたコンテンツデータのメタデータを取得する。当該メタデータは、他のデジタルテレビジョン放送受信装置２００が記録したコンテンツデータの種別と複製可能回数とを示す情報である。
【００３７】
第１実施形態と同様に、ユーザがコンテンツ一覧の表示要求を行うと、ＧＵＩ処理部１１１は、図４に例を示すようなコンテンツ一覧画面３００を作成する際に、自機器であるデジタルテレビジョン放送受信装置２００に記録されたコンテンツデータのみでなく、上記で取得した他のデジタルテレビジョン放送受信装置２００に記録されたコンテンツデータのメタデータから、他の機器に記録されたコンテンツデータも含めて、グラフィック処理部１１０へ出力する。また、その際、自機器に記録されたコンテンツと他機器に記録されたコンテンツが同じ場合、コピー可能回数もそれぞれの数を合算して表示する。
【００３８】
本実施形態によれば、また、ネットワーク上の他の機器のコンテンツについても、統合的に扱い、同一のコンテンツについてはコピー可能回数を合計して表示することにより、ユーザは複数の機器に分散していても合計コピー可能回数が容易にわかるようになる。
【００３９】
以上、本発明の実施の形態について説明したが、本発明は、上記実施形態に限定されるものではなく種々の変形が可能である。
【図面の簡単な説明】
【００４０】
【図１】第１実施形態に係るデジタルテレビジョン放送受信装置の概略を示すブロック図である。
【図２】第１実施形態に係るデジタルテレビジョン放送受信装置が管理するコピー可能回数情報の例を示す図である。
【図３】第１実施形態に係るデジタルテレビジョン放送受信装置がコンテンツ一覧画面を表示する際の処理の流れを示すフロー図である。
【図４】第１実施形態に係るデジタルテレビジョン放送受信装置が表示するコンテンツ一覧画面の例を示す図である。
【図５】第２実施形態に係るデジタルテレビジョン放送受信装置の概略を示すブロック図である。
【符号の説明】
【００４１】
３１，３２，３３，３４，３５，３６…アイコン、１００，２００…デジタルテレビジョン放送受信装置、１０２ａ，１０２ｂ…アンテナ、１０４ａ，１０４ｂ…デジタルチューナ部、１０６ａ，１０６ｂ…暗号解読部、１０８…復号部、１１０…グラフィック処理部、１１１…ＧＵＩ処理部、１１２…表示部、１１４ａ，１１４ｂ…暗号化部、１１６…ＨＤＤ部、１１８ａ，１１８ｂ…コピー可能回数抽出部、１２０…コピー回数管理部、１２２…暗号解読部、１２４…暗号化部、１２６…ディスクドライブ部、１２８…デジタルＩ／Ｆ部、１４１…ネットワーク送受信部、１４２…メタデータ取得部、１５０…制御部、１６０…入力部、３００…コンテンツ一覧表示画面。
【図１】
2009260559.tif 000003
【図２】
2009260559.tif 000004
【図３】
2009260559.tif 000005
【図５】
2009260559.tif 000006
【図４】
2009260559.tif 000007